(57)【要約】【課題】  電力に依拠することなく、水又は湯に空気を混入させることができる噴流装置を提供する。【解決手段】  噴流装置であるウォータージェット装置は、給水管１１と、吸気管１２と、給水管１１及び吸気管１２に接続されたジェットノズル１３とを備えている。ジェットノズル１３は、給水管１１からの水又は湯が流入する第１流入部と、吸気管１２からの空気が流入する第２流入部と、第１流入部及び第２流入部を連通させる混合部とを有している。また、ジェットノズル１３は、混合部と第１流入部との間に第１狭窄部を、混合部と第２流入部との間に第２狭窄部を有している。第１狭窄部は、第２狭窄部よりも混合部寄りに位置している。そして、ジェットノズル１３には空気を過給するための過給体１５が接続されている。【選択図】      図１
2006167625.tif 000002
【特許請求の範囲】
【請求項１】
液体を吸入するための吸液部と、空気を吸入するための吸気部と、前記液体と前記空気とを混合するための混合部と、前記吸液部から前記混合部へ液体を流動させるための液流路と、前記吸気部から前記混合部へ空気を流動させるための気流路と、前記混合部で混合された前記液体及び前記空気を噴出するための噴出口とを有してなり、前記液流路と前記混合部との間には前記混合部へ向かうにつれ幅狭となる第１狭窄部を設け、前記気流路と前記混合部との間には前記混合部へ向かうにつれ幅狭となる第２狭窄部を設けたノズル体を備える噴流装置であって、
前記ノズル体は、前記噴出口を複数有してなるシャワーノズルを構成していることを特徴とする噴流装置。
【請求項２】
前記吸液部には前記ノズル体へ前記液体を供給するための液供給管を接続し、前記吸気部には前記ノズル体へ前記空気を供給するための空気供給管を接続するとともに、前記ノズル体と前記空気供給管との間には、駆動方式が手動式又は機械式の空気供給体を介装したことを特徴とする請求項１に記載の噴流装置。
【請求項３】
液体を吸入するための吸液部と、空気を吸入するための吸気部と、前記液体と前記空気とを混合するための混合部と、前記吸液部から前記混合部へ液体を流動させるための液流路と、前記吸気部から前記混合部へ空気を流動させるための気流路と、前記混合部で混合された前記液体及び前記空気を噴出するための噴出口とを有してなり、前記液流路と前記混合部との間には前記混合部へ向かうにつれ幅狭となる第１狭窄部を設け、前記気流路と前記混合部との間には前記混合部へ向かうにつれ幅狭となる第２狭窄部を設けたノズル体を備える噴流装置であって、
前記ノズル体と、前記ノズル体の前記吸液部に接続されて該ノズル体へ前記液体を供給するための液供給管と、前記ノズル体の前記吸気部に接続されて該ノズル体へ前記空気を供給するための空気供給管と、前記ノズル体と前記空気供給管との間に介装された空気供給体とを備え、前記ノズル体を導電性を有する液体中に没入した状態で使用するものとし、前記空気供給管のうち少なくとも前記空気を吸入する部位となる端部を導電性を有する液体外に保持するものとし、前記空気供給体は、その駆動方式が手動式又は機械式のものとしたことを特徴とする噴流装置。
【請求項４】
前記空気供給体は、前記空気供給管に接続されて前記空気を吸入するための吸入部と、該吸入部から吸入された前記空気を溜めるための貯気槽と、該貯気槽から前記ノズル体へ前記空気を送り出すための送気部と、該送気部と前記ノズル体の前記吸気部との間を接続するための接続部と、前記貯気槽の内部の容積を変化させることによって該貯気槽内に空気を引き込むとともに該貯気槽内から空気を押し出して前記ノズル体へ空気を過給するための駆動体とを備えることを特徴とする請求項２又は請求項３に記載の噴流装置。
【請求項５】
前記空気供給体は、前記液供給管の内部に回転可能に設けられた第１タービンと、前記空気供給管の内部に回転可能に設けられた第２タービンと、前記第１タービンと前記第２タービンとを互いに接続するための伝達軸とを備えており、前記液供給管内における液体の流動によって前記第１タービンを回転させ、該第１タービンの回転力を前記第２タービンに伝達し、該第２タービンの回転力により前記空気供給管内における空気の流動を付勢して、前記ノズル体へ空気を過給することを特徴とする請求項２又は請求項３に記載の噴流装置。
【請求項６】
浴用設備で使用するものであって、前記ノズル体を浴槽中に没入した状態で使用するものとし、前記空気供給管の前記端部には、該端部を空気中に保持するための保持部材を取着したことを特徴とする請求項２から請求項５のうち何れか一項に記載の噴流装置。
【請求項７】
前記保持部材は、前記空気供給管の前記端部を前記浴槽中で水面に浮上させるための浮上部材であることを特徴とする請求項６に記載の噴流装置。
【請求項８】
前記保持部材は、前記空気供給管の前記端部を前記浴槽中で同浴槽の壁面上に固定する固定部材であることを特徴とする請求項６に記載の噴流装置。
【請求項９】
前記ノズル体には、該ノズル体を前記浴槽中で水面下に固定して保持するための固定部材を有することを特徴とする請求項６から請求項８のうち何れか一項に記載の噴流装置。
【請求項１０】
前記空気供給管又は前記液供給管の何れか一方を他方の内部に挿入したことを特徴とする請求項２から請求項９のうち何れか一項に記載の噴流装置。
【請求項１１】
前記空気供給管には、前記空気の流動によって音を発する笛部又は作動する玩具部を設けたことを特徴とする請求項２から請求項１０のうち何れか一項に記載の噴流装置。
【請求項１２】
前記ノズル体において、前記第１狭窄部を前記第２狭窄部よりも前記混合部寄りに配置したことを特徴とする請求項１から請求項１１のうち何れか一項に記載の噴流装置。
【発明の詳細な説明】
【技術分野】
【０００１】
本発明は、水、湯等の液体に空気を混入して噴出させる噴流装置に関するものである。
【背景技術】
【０００２】
従来、上記のような噴流装置として、例えば特許文献１に記載の水槽への空気混入器、特許文献２に記載の気泡風呂が挙げられる。特許文献１に記載の水槽への空気混入器においては、水ポンプから水槽に水を送る配管にＴ字継手が介在されており、このＴ字継手には先細りのノズルが挿入されている。そして、Ｔ字継手内でノズルを通過する水流のエジェクト作用により、水流中に空気を吸入するように構成されている。また、特許文献２に記載の気泡風呂においては、浴槽外に循環ポンプが設けられており、浴槽内の湯を循環ポンプに一旦引き込み、同循環ポンプで湯に気泡を含ませた後、同気泡を含む湯を浴槽内へ戻している。なお、水又は湯を噴出させる噴流装置を構成するものとして、複数の噴出口を設けることにより、水、湯等の液体を細かく分岐して吐出するシャワーノズルも挙げられる。
【特許文献１】特開平５−３５号公報
【特許文献２】特開２００１−１９８０３２号公報
【発明の開示】
【発明が解決しようとする課題】
【０００３】
ところが、上記特許文献１及び特許文献２の何れにおいても、水を送る、或いは空気を吸入するために電気式のポンプを使うことを前提としており、電力の供給がなければ水又は湯に空気を混入させることができない。このため、例えばコンセント等のない屋外設備においては噴流が得られないという問題がある。また、屋内設備においても、その利用はコンセント等の位置に左右され、対応の柔軟性に劣るという問題がある。さらに、水又は湯を使うことが前提となることから、漏電、感電等を防止すべく絶縁処理を施すことが必須となるという問題がある。加えて、従来のシャワーノズルにおいては、水又は湯を噴出させるのみの利用形態に限られ、この水又は湯に空気を混入して利用することまで考慮されたものではなかった。
【０００４】
本発明は、このような従来技術に存在する問題点に着目してなされたものである。その目的とするところは、電力に依拠することなく、水又は湯に空気を混入させることができる噴流装置を提供することにある。
【課題を解決するための手段】
【０００５】
上記の目的を達成するために、請求項１に記載の噴流装置の発明は、液体を吸入するための吸液部と、空気を吸入するための吸気部と、前記液体と前記空気とを混合するための混合部と、前記吸液部から前記混合部へ液体を流動させるための液流路と、前記吸気部から前記混合部へ空気を流動させるための気流路と、前記混合部で混合された前記液体及び前記空気を噴出するための噴出口とを有してなり、前記液流路と前記混合部との間には前記混合部へ向かうにつれ幅狭となる第１狭窄部を設け、前記気流路と前記混合部との間には前記混合部へ向かうにつれ幅狭となる第２狭窄部を設けたノズル体を備える噴流装置であって、前記ノズル体は、前記噴出口を複数有してなるシャワーノズルを構成していることを要旨とする。
【０００６】
上記構成によれば、ノズル体により構成されるシャワーノズルの内部に第１狭窄部及び第２狭窄部を設けたことにより、吸液部に供給される液体の流動により、空気が吸気部から自然吸入されるようになる。そして、電力に依拠することなく、液体に空気を混入させることができる。また、従来水又は湯を吐出するという限られた利用形態しか奏し得なかったシャワーノズルにおいて、新たな利用形態を提案することができる。
【０００７】
請求項２に記載の噴流装置の発明は、請求項１に記載の発明において、前記吸液部には前記ノズル体へ前記液体を供給するための液供給管を接続し、前記吸気部には前記ノズル体へ前記空気を供給するための空気供給管を接続するとともに、前記ノズル体と前記空気供給管との間には、駆動方式が手動式又は機械式の空気供給体を介装したことを要旨とする。
【０００８】
上記構成によれば、シャワーノズルを水中で使用したり、空気を取り込む場所がシャワーノズルから遠かったり等する場合であっても、シャワーノズルへ空気を好適に供給することができる。
【０００９】
請求項３に記載の噴流装置の発明は、液体を吸入するための吸液部と、空気を吸入するための吸気部と、前記液体と前記空気とを混合するための混合部と、前記吸液部から前記混合部へ液体を流動させるための液流路と、前記吸気部から前記混合部へ空気を流動させるための気流路と、前記混合部で混合された前記液体及び前記空気を噴出するための噴出口とを有してなり、前記液流路と前記混合部との間には前記混合部へ向かうにつれ幅狭となる第１狭窄部を設け、前記気流路と前記混合部との間には前記混合部へ向かうにつれ幅狭となる第２狭窄部を設けたノズル体を備える噴流装置であって、前記ノズル体と、前記ノズル体の前記吸液部に接続されて該ノズル体へ前記液体を供給するための液供給管と、前記ノズル体の前記吸気部に接続されて該ノズル体へ前記空気を供給するための空気供給管と、前記ノズル体と前記空気供給管との間に介装された空気供給体とを備え、前記ノズル体を導電性を有する液体中に没入した状態で使用するものとし、前記空気供給管のうち少なくとも前記空気を吸入する部位となる端部を導電性を有する液体外に保持するものとし、前記空気供給体は、その駆動方式が手動式又は機械式のものとしたことを要旨とする。
【００１０】
上記構成によれば、ノズル体の内部に第１狭窄部及び第２狭窄部を設けたことにより、吸液部に供給される液体の流動により、空気が吸気部から自然吸入されるようになる。また、噴流装置は電力に依拠するものでないため、導電性を有する液体中であっても、例えば防水、耐水等の構成を必要とすることなく、好適に使用することができる。さらに、例えばノズル体を水中で使用したり、空気を取り込む場所がノズル体から遠かったり等する場合であっても、ノズル体へ空気を好適に供給することができる。その結果、電力に依拠することなく、液体に空気を混入させることができる。
【００１１】
請求項４に記載の噴流装置の発明は、請求項２又は請求項３に記載の発明において、前記空気供給体は、前記空気供給管に接続されて前記空気を吸入するための吸入部と、該吸入部から吸入された前記空気を溜めるための貯気槽と、該貯気槽から前記ノズル体へ前記空気を送り出すための送気部と、該送気部と前記ノズル体の前記吸気部との間を接続するための接続部と、前記貯気槽の内部の容積を変化させることによって該貯気槽内に空気を引き込むとともに該貯気槽内から空気を押し出して前記ノズル体へ空気を過給するための駆動体とを備えることを要旨とする。
【００１２】
請求項５に記載の噴流装置の発明は、請求項２又は請求項３に記載の発明において、前記空気供給体は、前記液供給管の内部に回転可能に設けられた第１タービンと、前記空気供給管の内部に回転可能に設けられた第２タービンと、前記第１タービンと前記第２タービンとを互いに接続するための伝達軸とを備えており、前記液供給管内における液体の流動によって前記第１タービンを回転させ、該第１タービンの回転力を前記第２タービンに伝達し、該第２タービンの回転力により前記空気供給管内における空気の流動を付勢して、前記ノズル体へ空気を過給することを要旨とする。
【００１３】
上記請求項５又は６の構成によれば、ノズル体へ空気を好適に供給することができる。
請求項６に記載の噴流装置の発明は、請求項２から請求項５のうち何れか一項に記載の発明において、浴用設備で使用するものであって、前記ノズル体を浴槽中に没入した状態で使用するものとし、前記空気供給管の前記端部には、該端部を空気中に保持するための保持部材を取着したことを要旨とする。
【００１４】
請求項７に記載の噴流装置の発明は、請求項６に記載の発明において、前記保持部材は、前記空気供給管の前記端部を前記浴槽中で水面に浮上させるための浮上部材であることを要旨とする。
【００１５】
請求項８に記載の噴流装置の発明は、請求項６に記載の発明において、前記保持部材は、前記空気供給管の前記端部を前記浴槽中で同浴槽の壁面上に固定する固定部材であることを要旨とする。
【００１６】
上記請求項６〜８の何れかの構成によれば、ノズル体の内部で気流路に浴槽中の湯又は水が入り込むことを抑制することができる。
請求項９に記載の噴流装置の発明は、請求項６から請求項８のうち何れか一項に記載の発明において、前記ノズル体には、該ノズル体を前記浴槽中で水面下に固定して保持するための固定部材を有することを要旨とする。
【００１７】
上記構成によれば、水又は湯に空気を混入して得られる噴流を浴槽中へ確実に吐出することができる。
請求項１０に記載の噴流装置の発明は、請求項２から請求項９のうち何れか一項に記載の発明において、前記空気供給管又は前記液供給管の何れか一方を他方の内部に挿入したことを要旨とする。
【００１８】
上記構成によれば、空気供給管と液供給管をまとめることで、スペース効率を好適なものとすることができる。
請求項１１に記載の噴流装置の発明は、請求項２から請求項１０のうち何れか一項に記載の発明において、前記空気供給管には、前記空気の流動によって音を発する笛部又は作動する玩具部を設けたことを要旨とする。
【００１９】
上記構成によれば、ノズル体によって水又は湯に空気を混入することに限らず、付加価値を付与することができる。
請求項１２に記載の噴流装置の発明は、請求項１から請求項１１のうち何れか一項に記載の発明において、前記ノズル体において、前記第１狭窄部を前記第２狭窄部よりも前記混合部寄りに配置したことを要旨とする。
【００２０】
上記構成によれば、第１狭窄部を該第２狭窄部よりも前記混合部寄りに配置したことにより、液体の流れに空気を巻き込むようにして、液体と空気とを自然混合することができる。
【発明の効果】
【００２１】
本発明によれば、電力に依拠することなく、水又は湯に空気を混入させることができる。
【発明を実施するための最良の形態】
【００２２】
（第１実施形態）
以下、本発明を具体化した第１実施形態を図面に基づいて説明する。
噴流装置としてのウォータージェット装置は、浴用設備で使用するものである。図１に示すように、このウォータージェット装置は、浴槽１０の内部へ液体である水又は湯を供給する液供給管としての給水管１１と、浴槽１０の内部へ空気を供給する空気供給管としての吸気管１２と、前記給水管１１及び前記吸気管１２に接続されるノズル体としてのジェットノズル１３とを備えている。前記給水管１１は、浴槽１０の外部で一端が水源である蛇口（図示略）等に接続されている。前記吸気管１２は、その一端部１２ａが浴槽１０の外部に配置されている。前記ジェットノズル１３は、浴槽１０の内部に配置されるとともに、前記給水管１１の他端に直接的に接続されている。また、前記ジェットノズル１３は、前記吸気管１２の他端部に対し、空気供給体としての過給体１５が介装された状態で、該過給体１５から延びる接続部としての接続管１４に接続されている。
【００２３】
図２に示すように、ジェットノズル１３は、筒状をなす本体部２１を有しており、同本体部２１の内部には基端側（図中左側）から、水又は湯を吸入するための吸液部として、筒状をなす第１吸入部２２が挿入されている。この第１吸入部２２には前記給水管１１が接続されており、同第１吸入部２２の内部は、水又は湯を流動させる液流路である第１流入部２３とされている。一方、本体部２１の周壁上には、空気を吸入するための吸気部として、筒状をなす第２吸入部２４が突設されるとともに、同第２吸入部２４の内部と本体部２１の内部とが連通されている。第２吸入部２４には前記接続管１４が接続されており、同第２吸入部２４の内部と、本体部２１の内周面及び前記第１吸入部２２の外周面に囲まれた部分とは、空気を流入させる気流路である第２流入部２５とされている。本体部２１の先端部（図中右側）にはノズル口部２６が延設されている。このノズル口部２６の内部は、水又は湯に空気を混合するための混合部２７とされており、該混合部２７には、前記第１流入部２３及び前記第２流入部２５の双方が連通されている。ノズル口部２６の内部で混合された水又は湯と空気とは、該ノズル口部２６の先端の噴出口２６ａから外部へ吐出されるようになっている。
【００２４】
前記第１吸入部２２の先端部（図中右側）には、混合部２７と前記第１流入部２３との間に位置するように、第１狭窄部２８が設けられている。この第１狭窄部２８は、第１吸入部２２の先端部の周壁を先端へ向かうにつれ縮径することによって形成されている。本体部２１とノズル口部２６との間には、混合部２７と第２流入部２５との間に位置するように、第２狭窄部２９が設けられている。この第２狭窄部２９は、ノズル口部２６の基端部の周壁を先端へ向かうにつれ縮径することによって形成されている。そして、第１狭窄部２８及び第２狭窄部２９は、これらを通過しようとする液体（水又は湯）及び空気の流速を加速させるようになっている。また、第１狭窄部２８は、その先端が第２狭窄部２９よりも混合部２７寄りとなるように設けられている。これにより、第２狭窄部２９を通過した空気は、第１狭窄部２８を通過した液体（水又は湯）に巻き込まれるようにして混合される。
【００２５】
図３（ａ）に示すように、前記過給体１５は、空気を溜める貯気槽３１と、この貯気槽３１の内部の容積を変化させるための駆動体３２とを備えている。前記貯気槽３１は、有底円筒状に形成され、一端（図中上端）に開口を有している。また、貯気槽３１の一端部周壁は蛇腹状をなす接続体３３として形成されており、同接続体３３は伸縮可能に構成されている。駆動体３２は、板状をなし、貯気槽３１の開口を密閉するように、接続体３３の一端に取り付けられている。そして、駆動体３２を貯気槽３１に対して移動させ、前記接続体３３を伸縮させることにより、貯気槽３１の内部の容積が変化するように構成されている。
【００２６】
前記貯気槽３１には、その一側面から筒状をなす吸入部３４が突設されており、貯気槽３１の内部と吸入部３４の内部とが連通されている。この吸入部３４には、前記吸気管１２が接続されており、吸気管１２から貯気槽３１の内部へ空気が流入するように構成されている。また、吸入部３４の基端には第１逆止弁３５ａが取り付けられており、この第１逆止弁３５ａは、吸入部３４の内部から貯気槽３１の内部への空気の流入を許容し、貯気槽３１の内部から吸入部３４の内部への空気の流入を禁止する。
【００２７】
一方、貯気槽３１には、その他側面から筒状をなす送気部３６が突設されており、貯気槽３１の内部と送気部３６の内部とが連通されている。この送気部３６には、前記接続管１４が接続されており、貯気槽３１の内部から接続管１４へ空気が送り込まれるように構成されている。また、送気部３６の基端には第２逆止弁３５ｂが取り付けられており、この第２逆止弁３５ｂは、貯気槽３１の内部から送気部３６の内部への空気の流入を許容し、送気部３６の内部から貯気槽３１の内部への空気の流入を禁止する。
【００２８】
当該過給体１５は、駆動体３２を押し下げ、接続体３３を収縮させることにより、その内部の容積を減少させ、同内部で空気を圧縮するものである。この圧縮された空気は、送気部３６から接続管１４を介して前記ジェットノズル１３の前記第２吸入部２４へ圧送されるように構成されている。また、過給体１５は、駆動体３２を引き上げ、接続体３３を伸長させることにより、その内部の容積が増大し、同内部が負圧となるものである。負圧となった過給体１５の内部には、吸気管１２から吸入部３４を介して空気が供給されるように構成されている。当該過給体１５において、駆動体３２の押し下げ及び引き上げは、電力に依拠して駆動するモータ等によって行われるものではない。本実施形態の過給体１５で駆動体３２の押し下げは、図１に示すように、使用者Ｐが駆動体３２に着座することによって行われる。加えて、本実施形態の過給体１５で駆動体３２の引き上げは、使用者Ｐが自らの手で行うか、或いは使用者Ｐが駆動体３２から離れた状態で接続体３３が元の形状に復元しようとする力により行う。
【００２９】
図１に示すように、浴槽１０の外部に配置された吸気管１２の一端部１２ａには、笛部５１が接続されている。この笛部５１は、吸気管１２の一端部１２ａから空気が供給される際、音を生じるように構成されている。また、笛部５１の底面には、固定部材としての吸盤５２を有している。この吸盤５２を介して笛部５１を浴槽１０の上部壁面上に固定することにより、吸気管１２の一端部１２ａは浴槽１０の外部で空気中に保持されている。
【００３０】
次に、前記ウォータージェット装置の作用について以下に記載する。
さて、図１に示したように、ウォータージェット装置の使用時には、まず給水管１１の一端を蛇口に接続する、或いはシャワーの先端部からシャワーノズルを取り外して給水管１１に付け替える。次いで、蛇口又はシャワーから給水管１１に湯（水でもよい）を供給する。この湯は、給水管１１を介してジェットノズル１３へと送り込まれる。その後、使用者Ｐは浴槽１０内に入り、過給体１５の駆動体３２上に着座する。このとき、空気が過給体１５の内部から接続管１４等を介してジェットノズル１３へと圧送される。
【００３１】
図２に示したように、前記ジェットノズル１３内においては、まず給水管１１から供給された湯が第１吸入部２２を介して第１流入部２３へ流入する。第１流入部２３へ流入した湯は、第１狭窄部２８を通過して混合部２７へと至る。この第１狭窄部２８を通過するとき、湯は加速される。一方、前記ジェットノズル１３内において、接続管１４から圧送された空気は、第２流入部２５へ圧入される。第２流入部２５へ流入した空気は、第２狭窄部２９を通過して混合部２７へと至る。この第２狭窄部２９を通過するとき、空気は加速される。互いに加速された湯と空気とが混合部２７で合流するとき、第１狭窄部２８が第２狭窄部２９よりも混合部２７寄りに位置していることから、混合部２７内では湯の流れに空気が巻き込まれるようにして湯と空気とが混合される。そして、湯と空気とが混合され、噴流となってノズル口部２６の噴出口２６ａから浴槽１０内へ噴出される。
【００３２】
なお、過給体１５の駆動体３２が移動し、接続体３３が完全に収縮した後であっても、過給体１５内における空気の流動は規制されていない。従って、過給体１５による空気の圧入を行わずとも、湯の流動によって空気は、吸気管１２、過給体１５の貯気槽３１及び接続管１４を介してジェットノズル１３へ供給される。このため、湯が流動している限り、噴流が停止されることはない。また、使用者Ｐの所望に応じ、より多くの噴流が必要であれば、前記駆動体３２を引き上げ、接続体３３を伸長し、再び駆動体３２上に着座することにより、ジェットノズル１３に対する空気の圧送（過給）を行うことが可能となる。
【００３３】
前記の第１実施形態によって発揮される効果について、以下に記載する。
（１）  上記のウォータージェット装置によれば、ジェットノズル１３内で湯に空気を自然的に混入することができる。このとき、湯は蛇口又はシャワーからの吐出力によって流動され、また空気は湯の流動に巻き込まれるようにして吸引される。従って、電力に依拠するモータ等を使用せずとも、湯に空気が混入された噴流を作り出すことができる。
【００３４】
（２）  また、過給体１５を設けたことにより、ジェットノズル１３に対する空気の圧送（過給）を行うことができ、より多くの噴流を作り出すことができる。
（３）  また、過給体１５は、使用者Ｐが着座することにより、駆動体３２が移動して過給を行うように構成されている。このため、電力に依拠するモータ等を使用せずとも、空気の過給を行うことができる。
【００３５】
（４）  また、吸気管１２の一端は、笛部５１を介して吸盤５２により、浴槽１０の外部で空気中に保持されている。このため、吸気管１２から水が吸水される等の不具合の発生を抑制することができる。
【００３６】
（５）  また、吸気管１２の一端に笛部５１を設けたことにより、特に使用者Ｐが子供等である場合に、入浴を楽しませることができる。
（第２実施形態）
以下、本発明を上記第１実施形態と異なるウォータージェット装置に具体化した第２実施形態を図面に基づいて説明する。なお、この実施形態については、前記第１実施形態と異なる点を中心に説明する。
【００３７】
図５に示すように、第２実施形態のウォータージェット装置においては、吸気管１２の他端がジェットノズル１３に接続されている。また、吸気管１２は、結束部材６１により、給水管１１と結束されている。さらに、吸気管１２の一端には、伸縮管６２を介して、浮上部材６３が接続されている。この浮上部材６３は、水又は湯よりも比重が軽い材料から形成されており、水に浮く性質を有している。このような材料として、スポンジ、軽石等の多孔質体、浮き（ウキ）、合成樹脂（プラスチック）、空気透過膜、ホッパー等が挙げられる。そして、吸気管１２の一端を構成する同浮上部材６３は、常に水面に浮上している。また、ジェットノズル１３が水底に配置され、水面までの長さが足りない場合には、伸縮管６２を伸長させることにより、浮上部材６３を水面に浮上させることが可能となる。
【００３８】
図４に示すように、前記結束部材６１は、ジェットノズル１３に供給される空気を過給する過給体としての機能を有している。即ち、結束部材６１は、結束ケース６４と、同結束ケース６４に取着された一対の接続筒６５とを備えている。これら接続筒６５は、前記給水管１１及び前記吸気管１２のそれぞれの途中に介装されている。一対の接続筒６５のうち、給水管１１に介装される接続筒６５の内部には第１タービン６６が配設されている。また、一対の接続筒６５のうち、吸気管１２に介装される接続筒６５の内部には第２タービン６７が配設されている。これら第１タービン６６及び第２タービン６７の間には伝達軸６８が接続されている。第１タービン６６及び第２タービン６７は、伝達軸６８を中心に、各接続筒６５の内部で回転可能に構成されている。
【００３９】
さて、当該結束部材６１において、給水管１１内を水又は湯が流動すると、第１タービン６６が回転される、この第１タービン６６の回転に伴い、その回転駆動力が伝達軸６８を介して第２タービン６７に伝達されると、第２タービン６７が回転される。そして、第２タービン６７が回転されると、吸気管１２内を流動する空気の流速が増し、空気の過給が行われる。
【００４０】
前記の第２実施形態によって発揮される効果について、以下に記載する。
（６）  第２実施形態のウォータージェット装置によれば、結束部材６１の内部に第１タービン６６及び第２タービン６７を設け、これら第１タービン６６及び第２タービン６７の間が伝達軸６８で接続されている。このため、水又は湯の流動で回転する第１タービン６６により、第２タービン６７を回転させることができる。従って、電力に依拠せずとも、空気の過給を行うことができる。
【００４１】
（７）  また、浮上部材６３を設けたことにより、吸気管１２の一端を水面に浮上させることができることから、吸気管１２から水が吸水される等の不具合の発生を抑制することができる。
【００４２】
（８）  また、伸縮管６２を設けたことにより、浮上部材６３が水面まで達しない場合にも、当該伸縮管６２を伸長させる等して対応することができる。
（９）  また、結束部材６１によって給水管１１と吸気管１２とを結束したことにより、浴槽１０内に敷設される配管の取り纏めを好適なものとすることができる。
【００４３】
（第３実施形態）
以下、本発明を上記第１実施形態と異なるウォータージェット装置に具体化した第３実施形態を図面に基づいて説明する。なお、この実施形態については、前記第１実施形態と異なる点を中心に説明する。
【００４４】
図６に示すように、第３実施形態のウォータージェット装置において、給水管１１は、吸気管１２の内部に挿入されており、給水管１１及び吸気管１２が一纏めに構成されている。また、ジェットノズル１３において、第２吸入部２４は、本体部２１の基端部（図中左側）から延設されている。そして、第１吸入部２２は、その基端が第２吸入部２４の内側に囲い込まれた構成とされている。
【００４５】
上記ウォータージェット装置において、ジェットノズル１３のノズル口部２６、混合部２７、第１狭窄部２８及び第２狭窄部２９は、前記第１実施形態と同一の構成とされている。従って、上記ジェットノズル１３は、第１実施形態のものと同様の作用効果を奏し得る。
【００４６】
前記の第３実施形態によって発揮される効果について、以下に記載する。
（１０）  第３実施形態のウォータージェット装置によれば、上記（１）の作用効果を奏し得ることができるとともに、給水管１１及び吸気管１２を一まとめとすることでスペース効率を好適なものとすることができる。
【００４７】
（第４実施形態）
以下、本発明の噴流装置におけるノズル体をシャワーノズルに具体化した第４実施形態を図面に基づいて説明する。
【００４８】
図７（ａ）に示すように、シャワーノズル７０は、中空状をなすノズル本体７１と、同ノズル本体７１の先端（図中で上部右側）に取付けられたキャップ７２とを備えている。このキャップ７２は、その内面に設けられた雌ねじを用いてノズル本体７１の先端に取付けられており、ノズル本体７１に対して緩めたり、締めたりすることにより、移動可能に構成されている。ノズル本体７１の基端部（図中で下端部）には吸液部として、液体である水又は湯が供給される給水口７３が設けられている。キャップ７２には、複数の穴が穿設されており、これら穴のうち周縁部に設けられたものは、吸気部として空気を吸入するための吸気口７４とされ、周縁部以外に設けられた穴は、水又は湯を噴出するための噴出口７５とされている。
【００４９】
ノズル本体７１の先端内部には、仕切板７６が設けられている。また、キャップ７２の内側には、ガイド体７７が突設されている。シャワーノズル７０の内部において、前記給水口７３から仕切板７６までの空間は、水又は湯を流動させるための液流路７８とされている。また、シャワーノズル７０の内部において、キャップ７２、仕切板７６及びガイド体７７に囲まれ、前記吸気口７４に連通する空間は、空気を流動させるための気流路７９とされている。さらに、シャワーノズル７０の内部において、ガイド体７７に取り囲まれ、前記噴出口７５に連通する空間は、混合部として水又は湯と空気とを混合するための混合室８０とされている。
【００５０】
前記仕切板７６の略中央には、混合室８０へ向かうにつれ幅狭となる第１狭窄部８１が突設されている。この第１狭窄部８１を介して前記液流路７８と前記混合室８０とが連通されている。また、前記気流路７９と前記混合室８０とは互いに連通されるとともに、前記気流路７９と前記混合室８０との境界には、第１狭窄部８１と前記ガイド体７７とにより、混合室８０へ向かうにつれ幅狭となる第２狭窄部８２が形成されている。そして、前記第１狭窄部８１は、その先端が前記第２狭窄部８２よりも混合室８０寄りに配置されている。
【００５１】
さて、上記シャワーノズル７０によれば、液流路７８を流れる水又は湯は、第１狭窄部８１を通過して混合室８０へと至る。この第１狭窄部８１を通過するとき、水又は湯は加速される。一方、空気は、水又は湯の加速に伴い、吸気口７４から吸引されて気流路７９へ流入し、該気流路７９から第２狭窄部８２を通過して混合室８０へと至る。この第２狭窄部８２を通過するとき、空気は加速され、混合室８０で水又は湯と合流する。このように水又は湯と空気とが合流するとき、第１狭窄部８１が第２狭窄部８２よりも混合室８０寄りに位置していることから、混合室８０内では水又湯の流れに空気が巻き込まれるようにして水又湯と空気とが混合される。そして、混合された水又湯と空気とが噴流となってキャップ７２の各噴出口７５からそれぞれ噴出される。
【００５２】
また、図７（ｂ）に示すように、キャップ７２を締め付けた場合、ガイド体７７が仕切板７６に接近する。この場合、前記第２狭窄部８２を形成していた空間は等幅となり、空気の流速を加速させるに足る空間が無くなり、吸気口７４からの空気の吸引が停止される。従って、キャップ７２を締め付けた場合、液流路７８を流れる水又は湯は、第１狭窄部８１を通過して混合室８０へと至り、このままキャップ７２の各噴出口７５からそれぞれ噴出される。つまり、シャワーノズル７０は、キャップ７２を締め付けた場合、噴流装置におけるノズル体ではなく、通常のシャワーノズルとして使用される。
【００５３】
前記の第４実施形態によって発揮される効果について、以下に記載する。
（１１）  第４実施形態のシャワーノズル７０によれば、上記（１）の作用効果を奏し得ることができるとともに、従来の水又湯を吐出という利用形態に加え、噴流によるマッサージ、強力な洗浄等のような新たな利用形態を提供することができる。
【００５４】
（１２）  また、キャップ７２を締め付けた場合、図７（ｂ）中ではガイド体７７が仕切板７６に接触していないため、吸気口７４から水又は湯を噴出させることも可能である。この場合、吸気口７４から水又は湯を噴出させることにより、広範囲にわたって水又は湯の噴出を行うことができる。なお、キャップ７２を締め付けた場合、例えばガイド体７７を仕切板７６に接触させる等のように、混合室８０から吸気口７４に至る気流路７９を閉塞することにより、水又は湯が噴出されることを抑制することも可能である。
【００５５】
（変更例）
なお、各実施形態は、次のように変更して具体化することも可能である。
・  第４実施形態において、吸気口７４をノズル本体７１に設けてもよい。
【００５６】
・  第１〜第３実施形態のジェットノズル１３に代えて、第４実施形態のシャワーノズル７０を前記給水管１１及び前記吸気管１２に接続してもよい。また、シャワーノズル７０を前記過給体１５に接続したり、シャワーノズル７０が接続される給水管１１及び吸気管１２を一纏めにしたり等してもよい。さらに、シャワーノズル７０を浴槽１０内に沈下させて使用してもよい。なお、シャワーノズル７０を前記給水管１１及び前記吸気管１２に接続する場合、前記給水管１１には給水口７３が、前記吸気管１２には吸気口７４が接続される。
【００５７】
・  第１〜第３実施形態のジェットノズル１３、第４実施形態のシャワーノズル７０において、それぞれの内部に発泡剤、洗浄剤等の添加剤を吸引させるように構成してもよい。この場合、水又湯に発泡剤、洗浄剤等の添加剤を混合し、液体として吸引させてもよいし、或いは空気に発泡剤、洗浄剤等の添加剤を混合して吸引させてもよい。また、吸液部又は吸気部に発泡剤、洗浄剤等の添加剤を収容した添加剤収容容器を接続してもよい。このように構成した場合、上記（１）の作用効果に加え、添加剤を使用した種々の利用形態を奏し得ることができる。
【００５８】
・  第１〜第３実施形態のジェットノズル１３、第４実施形態のシャワーノズル７０において、それぞれを給水管１１、吸気管１２、ホース等の管体に対して、アダプター、カプラー等の介装部材を使用することにより、着脱可能、回転可能、回動可能、或いは取付角度を可変可能に構成してもよい。
【００５９】
・  第１〜第３実施形態のジェットノズル１３において、例えば第４実施形態のシャワーノズル７０のように、噴流を噴出する形態と、液体のみを吐出する形態とを切換可能に構成してもよい。なお、第１狭窄部と第２狭窄部との位置関係を変更可能とすることにより、このような切換が可能となっており、第４実施形態ではキャップ７２を締め付けたり、緩めたり等する操作によって切換を行っている。この切換に係る操作はキャップ７２によるものに限らず、例えばレバー、プッシュボタン等によって行ってもよい。
【００６０】
・  第３実施形態において、吸気管１２を給水管１１の内部に挿入する構成としてもよい。
・  第１実施形態において、笛部５１に代え、空気の流動によって作動する玩具部を吸気管１２の一端に接続してもよい。このように構成した場合にも、上記（５）の効果を得ることができる。
【００６１】
・  前記第１吸入部２２或いは前記第２吸入部２４に逆止弁を取り付けてもよい。
・  前記吸気管１２を過給体１５に対して着脱可能に構成し、該吸気管１２をジェットノズル１３へ直接的に接続してもよい。
【００６２】
・  各実施形態において、ジェットノズル１３又はシャワーノズル７０に吸盤、フック、重り等からなる固定部材を取付け、同固定部材によりジェットノズル１３又はシャワーノズル７０を浴槽１０の底部に固定する等して、該ジェットノズル１３を水中に維持するように構成してもよい。このように構成した場合、上記（１）〜（９）の効果に加え、噴出時の勢いによるジェットノズル１３の浮き上がり、暴れ等を抑制することができる。なお、吸盤、フック等によりジェットノズル１３を浴槽内に固定した場合、ジェットノズル１３の浮き上がり、暴れ等をより一層抑制することができる。
【００６３】
・  前記固定部材は吸盤５２に限らず、フック、チェーン等としてもよい。このように構成した場合にも、上記（４）の効果を得ることができる。
・  前記浮上部材６３は、水面上に浮上する性質を有するものであれば、何れの材料を使用して形成してもよい。このように構成した場合にも、上記（７）の効果を得ることができる。
【００６４】
・  前記吸盤５２等の固定部材、前記浮上部材６３に限らず、吸気管１２のうち空気を吸入する部位となる一端部を空気中に保持することが可能であれば、例えば吸気管１２を天井から吊すチェーン、風船等を保持部材として吸気管１２に接続してもよい。このように構成した場合にも、上記（１）の効果を得ることができる。
【００６５】
・  第１実施形態において、過給体１５は、図３（ｂ）に示すような構成としてもよい。即ち、貯気槽３１は上面が開口された筒状に形成されている。駆動体３２は柱状に形成され、貯気槽３１の開口から内部へ嵌挿されている。そして、駆動体３２を上下動させることにより、過給体１５の内部の空気を圧縮してジェットノズル１３へ圧送することができる。このように構成した場合にも、上記（３）の効果を得ることができる。
【００６６】
・  過給体１５を浴槽１０外に設置してもよい。この場合、駆動体３２は、重り等を使用して下降させればよい。
・  過給体は、ジェットノズル１３へ空気を圧入することが可能であれば、第１及び第２実施形態で示したもの以外に、例えば風船等の袋状体等から構成してもよい。このように構成した場合にも、上記（２）の効果を得ることができる。
【００６７】
・  第１及び第２実施形態で過給体を省略して構成してもよい。このように構成した場合にも、上記（１）の効果を得ることができる。
・  給水管１１は、蛇口、シャワー等に接続せずとも、水栓に切替弁を設けたり等して取付けてもよい。このように構成した場合にも、上記（１）の効果を得ることができる。
【００６８】
・  ジェットノズル１３の先端にノズル口部を２つ以上設け、複数箇所から噴流を噴出させてもよい。このように構成した場合にも、上記（１）の効果を得ることができる。
・  各実施形態において、噴流装置は、浴槽用のウォータージェット装置に限らず、庭用、洗顔用、洗車用等のウォータージェット装置に適用してもよい。また、浴槽用、洗顔用、洗車用等のウォータージェット装置に適用する場合、ジェットノズル１３の先端（ノズル口部３１）にスポンジやブラシ等を取り付けてもよい。或いは、ウォータージェット装置以外にも、噴流装置として洗浄装置、シャワー装置等に適用してもよい。
【図面の簡単な説明】
【００６９】
【図１】第１実施形態のウォータージェット装置の使用状態を示す概念図。
【図２】第１実施形態のジェットノズルを示す断面図。
【図３】（ａ）は第１実施形態の過給体を示す断面図、（ｂ）は別形態の過給体を示す断面図。
【図４】第２実施形態のウォータージェット装置を示す断面図。
【図５】第２実施形態のウォータージェット装置の使用状態を示す概念図。
【図６】第３実施形態のウォータージェット装置を示す断面図。
【図７】（ａ）は第４実施形態のシャワーノズルで噴流を吐出する状態を示す断面図、（ｂ）は第４実施形態のシャワーノズルで液体のみを吐出する状態を示す断面図。
【符号の説明】
【００７０】
１０…浴槽、１１…吸水管、１２…吸気管、１３…ノズル体としてのジェットノズル、１４…接続管、５１…笛部、１５…過給体、２２…吸液部としての第１吸入部、２３…液流路としての第１流入部、２４…吸気部としての第２吸入部、２５…気流路としての第２流入部、２６ａ…噴出口、２７…混合部、２８…第１狭窄部、２９…第２狭窄部、３１…貯気槽、３２…駆動体、３４…吸入部、３６…送気部、５１…笛部、６３…浮上部材、６６…第１タービン、６７…第２タービン、６８…伝達軸、７０…シャワーノズル、７３…吸液部としての給水口、７４…吸気部としての吸気口、７５…噴出口、７８…液流路、７９…気流路、８０…混合部、８１…第１狭窄部、８２…第２狭窄部。
【図１】
2006167625.tif 000003
【図２】
2006167625.tif 000004
【図３】
2006167625.tif 000005
【図４】
2006167625.tif 000006
【図５】
2006167625.tif 000007
【図６】
2006167625.tif 000008
【図７】
2006167625.tif 000009